(57)【要約】【課題】  発汗量が時間と供に変化しても、正確に操作者の興奮度を検出し、判定できる興奮度評価方法及び興奮度評価装置を提供することを目的とする。【解決手段】  興奮度評価装置は、２個の高分子湿度センサ１ａ、１ｂと、興奮度を評価する部位の皮膚に密着させ、皮膚からの発汗を検知する検知用カプセル２と、検知用カプセル２へ空気を送り込むエア供給ポンプ５と、検知用カプセル２から空気を排出するためのエア排出ポンプ６と、高分子湿度センサ１ａ、１ｂからの出力を増幅する増幅器７と、増幅器７からの出力に基づいて操作者の興奮度を評価する一次微分演算部１４を備える評価部８とから概略構成されている。【選択図】            図１
2005177406.tif 000002
【特許請求の範囲】
【請求項１】
機器の操作者の興奮度を評価する興奮度評価方法において、
操作者の発汗量を検出し、前記発汗量の時間変化量により操作者の興奮度を評価することを特徴とする興奮度評価方法。
【請求項２】
第一の湿度センサにより空気の水分量を測定するステップと、
操作者の興奮度に応じた発汗による水分を発汗検知手段により該空気に取り込むステップと、
第二の湿度センサにより、前記発汗検知手段で取り込まれた操作者の発汗による水分を含む、該空気の水分量を測定するステップとを含む機器の操作者の興奮度を評価する興奮度評価方法において、
前記第一の湿度センサで測定された第一の水分量と、前記第二の湿度センサで測定された第二の水分量との差を操作者の発汗量として検出し、
前記発汗量の時間変化量により操作者の興奮度を評価することを特徴とする興奮度評価方法。
【請求項３】
機器の操作者の興奮度に応じた発汗による水分を発汗検知手段により空気に取り込んで、操作者の興奮度を評価する興奮度評価方法において、
第一の湿度センサにより該空気の水分量を測定し、
第二の湿度センサにより該空気の水分量を測定し、
前記第一の湿度センサで測定された第一の水分量と、前記第二の湿度センサで測定された第二の水分量との差を操作者の発汗量として検出し、
前記発汗量の時間変化量により操作者の興奮度を評価することを特徴とする興奮度評価方法。
【請求項４】
前記時間変化量は、所定時間における前記発汗量の変化を前記所定時間で除した発汗量の一次微分値とすることを特徴とする請求項１乃至請求項３に記載の興奮度評価方法。
【請求項５】
前記時間変化量は、所定時間における前記一次微分値の変化を前記所定時間で除した発汗量の二次微分値とすることを特徴とする請求項４に記載の興奮度評価方法。
【請求項６】
機器の操作者の興奮度を評価する興奮度評価装置において、
空気の水分量を測定する第一の湿度センサと、
操作者の興奮度に応じた発汗による水分を該空気に取り込む発汗検知手段と、
前記発汗検知手段で取り込まれた操作者の発汗による水分を含む、該空気の水分量を測定する第二の湿度センサと、
前記第一の湿度センサで測定された第一の水分量と前記第二の湿度センサで測定された第二の水分量との差を発汗量として検出する検出手段と、
前記発汗量の時間変化により操作者の興奮度を評価する評価手段とを具備することを特徴とする興奮度評価装置。
【請求項７】
機器の操作者の興奮度に応じた発汗による水分を含んだ空気の水分量により、操作者の興奮度を評価する興奮度評価装置において、
該空気の水分量を測定する第一の湿度センサと第二の湿度センサとを備える発汗検知手段と、
前記第一の湿度センサで測定された第一の水分量と前記第二の湿度センサで測定された第二の水分量との差を発汗量として検出する検出手段と、
前記発汗量の時間変化により操作者の興奮度を評価する評価手段とを具備することを特徴とする興奮度評価装置。
【請求項８】
前記発汗検知手段は、前記第一の湿度センサに対応した第一の温度計と、前記第二の湿度センサに対応した第二の温度計とを更に備えることを特徴とする請求項７に記載の興奮度評価装置。
【請求項９】
前記評価手段は、所定時間における前記発汗量の変化を前記所定時間で除した発汗量の一次微分値を計算する一次微分演算手段を備えることを特徴とする請求項５乃至請求項８に記載の興奮度評価装置。
【請求項１０】
前記評価手段は、所定時間における前記発汗量の一次微分値を前記所定時間で除した発汗量の二次微分値を計算する二次微分演算手段をさらに備えることを特徴とする請求項９に記載の興奮度評価装置。
【発明の詳細な説明】
【技術分野】
【０００１】  本発明は、バーチャルリアリティシステムやゲーム装置またはマルチメディア装置等の機器操作者の興奮度を評価する興奮度評価方法及び興奮度評価装置に関するものであり、特に操作者の発汗を検出することにより興奮度を評価する興奮度評価方法及び興奮度評価装置に関する。
【背景技術】
【０００２】  現在のバーチャルリアリティシステムやゲーム装置等では一般的に多種多様なシナリオ（進行内容）が用意されている。ゲーム中にどのシナリオが採用されるかは、ゲーム開始当初から操作者が選択してきた操作内容、操作者の意図的な指示に基づいている。このようなバーチャルリアリティシステムやゲーム装置では、シナリオが操作者にとってより現実的なものになることが望まれている。【０００３】  そのためには、ゲーム中での操作者の刻一刻の状況を把握することが出来れば最良であり、その状況に応じたシナリオを選択してゲームなどを進行させることができる。特に操作者の操作中の興奮度を知ることができれば的確に現実的な進行を行わせることが可能になる。【０００４】  しかしながら、従来のバーチャルリアリティシステムやゲーム装置等では、操作者が興奮しているかどうかを装置側で把握することはできなかった【０００５】  そのため、特許文献１における遊戯装置評価方法及び装置は、操作者の手掌の中央部から人指し指と中指の付け根方向にずれた部位に高分子湿度センサを取り付け、その部位の発汗量を定量的に計測し操作者の興奮度を検出する方法を提案している。【０００６】  この遊戯装置評価方法及び装置は、ゲーム中の興奮により生じる発汗量の増加を、操作中の皮膚からの発汗量と時間とを逐次記録することにより計測して操作者の興奮度を検出するものであった。また、操作者の発汗量の増加を計測するのに適した部位を、操作者の手掌の中央部から人指し指と中指の付け根方向にずれた部位選定して発汗量の増加を計測し、操作者の興奮度を検出するものであった。【０００７】
【特許文献１】  特開２００２−２０００４９
【発明の開示】
【発明が解決しようとする課題】
【０００８】  しかし、ゲームの操作中に操作者の皮膚から発生する発汗量は、操作時間と共に増加したり、周囲の気温の上昇や下降により時間と共に増加や減少することがあるため、発汗量にある一定の閾値を設定し、発汗量が閾値を超えた場合には興奮している、閾値を下回っている場合には興奮していないという方法で操作者の興奮度の判定すると、興奮度を正確に評価できない場合があった。また、操作中の興奮により発汗量が増加する部位には個人差があり、手掌の中央部から人指し指と中指の付け根方向にずれた部位のみでの測定では、興奮度を正確に評価できない場合があった。
【課題を解決するための手段】
【０００９】  本発明は、発汗量が時間と供に変化しても、正確に操作者の興奮度を検出し、判定できる興奮度評価方法及び興奮度評価装置を提供することを目的とする。【００１０】  また、本発明は、操作者の手掌の中央部から人指し指と中指の付け根方向にずれた部位のみならず、手背、額、前胸部のいずれかの部位であっても、正確に操作者の興奮度を検出し、判定できる興奮度評価方法及び興奮度評価装置を提供することを目的とする。【００１１】  上述の課題を解決し目的を達成するため、この発明に係わる興奮度評価方法は、請求項１の記載によれば、操作者の発汗量を検出し、前記発汗量の時間変化量により操作者の興奮度を評価することを特徴とする。【００１２】  上述の課題を解決し目的を達成するため、この発明に係わる興奮度評価方法は、請求項２の記載によれば、第一の湿度センサにより空気の水分量を測定するステップと、操作者の興奮度に応じた発汗による水分を発汗検知手段により該空気に取り込むステップと、第二の湿度センサにより、前記発汗検知手段で取り込まれた操作者の発汗による水分を含む、該空気の水分量を測定するステップとを含む機器の操作者の興奮度を評価する興奮度評価方法であって、前記第一の湿度センサで測定された第一の水分量と、前記第二の湿度センサで測定された第二の水分量との差を操作者の発汗量として検出し、前記発汗量の時間変化量により操作者の興奮度を評価することを特徴とする。【００１３】  上述の課題を解決し目的を達成するため、この発明に係わる興奮度評価方法は、請求項３の記載によれば、機器の操作者の興奮度に応じた発汗による水分を発汗検知手段により空気に取り込んで、操作者の興奮度を評価する興奮度評価方法であって、第一の湿度センサにより該空気の水分量を測定し、第二の湿度センサにより該空気の水分量を測定し、前記第一の湿度センサで測定された第一の水分量と、前記第二の湿度センサで測定された第二の水分量との差を操作者の発汗量として検出し、前記発汗量の時間変化量により操作者の興奮度を評価することを特徴とする。【００１４】  上述の課題を解決し目的を達成するため、この発明に係わる興奮度評価方法は、請求項４の記載によれば、前記時間変化量は、所定時間における前記発汗量の変化を前記所定時間で除した発汗量の一次微分値とすることを特徴とする。【００１５】  上述の課題を解決し目的を達成するため、この発明に係わる興奮度評価方法は、請求項５の記載によれば、前記時間変化量は、所定時間における前記一次微分値の変化を前記所定時間で除した発汗量の二次微分値とすることを特徴とする。【００１６】  上述の課題を解決し目的を達成するため、この発明に係わる興奮度評価装置は、請求項６の記載によれば、機器の操作者の興奮度を評価する興奮度評価装置であって、空気の水分量を測定する第一の湿度センサと、操作者の興奮度に応じた発汗による水分を該空気に取り込む発汗検知手段と、前記発汗検知手段で取り込まれた操作者の発汗による水分を含む、該空気の水分量を測定する第二の湿度センサと、前記第一の湿度センサで測定された第一の水分量と前記第二の湿度センサで測定された第二の水分量との差を発汗量として検出する検出手段と、前記発汗量の��間変化により操作者の興奮度を評価する評価手段とを具備することを特徴とする。【００１７】  上述の課題を解決し目的を達成するため、この発明に係わる興奮度評価装置は、請求項７の記載によれば、機器の操作者の興奮度に応じた発汗による水分を含んだ空気の水分量により、操作者の興奮度を評価する興奮度評価装置であって、該空気の水分量を測定する第一の湿度センサと第二の湿度センサとを備える発汗検知手段と、前記第一の湿度センサで測定された第一の水分量と前記第二の湿度センサで測定された第二の水分量との差を発汗量として検出する検出手段と、前記発汗量の時間変化により操作者の興奮度を評価する評価手段とを具備することを特徴とする。【００１８】  上述の課題を解決し目的を達成するため、この発明に係わる興奮度評価装置は、請求項８の記載によれば、前記発汗検知手段は、前記第一の湿度センサに対応した第一の温度計と、前記第二の湿度センサに対応した第二の温度計とを更に備えることを特徴とする。【００１９】  上述の課題を解決し目的を達成するため、この発明に係わる興奮度評価装置は、請求項９の記載によれば、前記評価手段は、所定時間における前記発汗量の変化を前記所定時間で除した発汗量の一次微分値を計算する一次微分演算手段を備えることを特徴とする。【００２０】  上述の課題を解決し目的を達成するため、この発明に係わる興奮度評価方法は、請求項１０の記載によれば、前記評価手段は、所定時間における前記発汗量の一次微分値を前記所定時間で除した発汗量の二次微分値を計算する二次微分演算手段をさらに備えることを特徴とする。
【発明の効果】
【００２１】  本発明によれば、発汗量が時間と供に変化しても、正確に操作者の興奮度を検出し判定する興奮度評価方法及び興奮度評価装置を提供することができる。【００２２】  また、本発明によれば、操作者の手掌の中央部から人指し指と中指の付け根方向にずれた部位のみならず、手背、額、前胸部のいずれかの部位であっても、正確に操作者の興奮度を検出し判定することができる興奮度評価方法及び興奮度評価装置を提供することができる。
【発明を実施するための最良の形態】
【００２３】  以下に、この発明に係わる興奮度評価方法及び興奮度評価装置の第一の実施例について図１及び図２を参照して説明する。【００２４】  図１は、この発明に係わる第一の実施例の興奮度評価装置の概略構成を示す図である。興奮度評価装置は、２個の高分子湿度センサ１ａ、１ｂと、興奮度を評価する部位の皮膚に密着させ、皮膚からの発汗を検知する検知用カプセル２と、検知用カプセル２へ空気を送り込むエア供給ポンプ５と、エア供給ポンプ５と検知用カプセル２とを接続するエア供給管３と、検知用カプセル２から空気を排出するためのエア排出ポンプ６と、検知用カプセル２とエア排出ポンプ６とを接続するエア排出管４と、高分子湿度センサ１ａ、１ｂからの出力を増幅する増幅器７と、増幅器７からの出力に基づいて操作者の興奮度を評価する評価部８とから概略構成されている。【００２５】  検知用カプセル２は、カプセル状になっており、操作者がゲーム等を行う際に操作者の興奮度を評価する部位の皮膚に密着され、発汗、即ち皮膚から蒸発した水分を捕らえるものである。【００２６】  高分子湿度センサ１ａ、１ｂは、アセテートセルロース等の高分子重合体からなり、周囲の相対湿度に比例した水分子を吸着する性質を有する。さらに、高分子湿度センサ１ａ、１ｂの誘電率は、通常低い値（εｒ＝２−７）であるが、一旦水分子が吸着すると水分子の双極子モーメントにより高分子重合体となり数千倍高い値となる。このため、この高分子重合体を予め通電することにより、相対湿度の変化による高分子重合体のインピーダンス変化量を計測し、水分量を測定することが可能となる。【００２７】  高分子湿度センサ１ａは、エア供給管３により検知用カプセル２とエア供給ポンプ５に接続されている。また、高分子湿度センサ１ｂは、エア排出管４によって検知用カプセル２とエア排出ポンプ６に接続されている。エア供給ポンプ５により検知用カプセル２へ送り込まれた空気は、検知用カプセル２へ向かう。検知用カプセル２に到達した空気は、操作者の皮膚から蒸発した水分を取り込みエア排出ポンプ６により回収される。【００２８】  エア排出ポンプ６により回収される空気には操作者の興奮度に応じた発汗により多くの水分が含まれているため、検知用カプセル２へ到達する前のエア供給管３側の空気に含まれる水分量対してエア排出管４側の空気に含まれる水分量は大きくなる。高分子湿度センサ１ａ、１ｂを構成する高分子重合体素子は相対湿度が変化するとインピーダンスの絶対値が変化する性質を有しているので、エア供給管３側で水分を殆ど含んでいない空気が高分子湿度センサ１ａを通過したときのセンサ１ａの電位は、エア排出管４側で皮膚から蒸発した水分を含む空気が高分子湿度センサ１ｂを通過したときのセンサ１ｂの電位とは異なる。この両センサの電位の差が操作者の興奮度に応じた発汗量の計測値になる。この電位差信号は増幅器７で増幅され評価部８へ出力される。【００２９】  図２は、第一の実施例における評価部８の機能構成図である。評価部８は、ＡＤ変換機１１と、記憶部１３と、一次微分演算部１４と、比較器１７と、基準信号発生器１８と、興奮度判定部１９とから構成される。【００３０】  ＡＤ変換部１１は、増幅器７からの電位差信号をデジタル信号に変換する。記憶部１３は、ＡＤ変換部１１により変換されたデジタル信号を記憶する。一次微分演算部１４は、記憶部１３で記憶された発汗量のデジタルデータを用いて、所定時間における発汗量の変化をその所定時間で除して発汗量の一次微分値を順次算出する。興奮度判定部１９は、この発汗量の一次微分値と基準信号発生器１８から送出される操作者の興奮度判定指標とを比較器１７で照合し、操作者の興奮度を判定し評価する。【００３１】  以上のように、第一の実施例における興奮度評価装置は、検知用カプセル２で採取された水分量を高分子湿度センサ１ａ、１ｂにより計測し、評価部８の興奮度判定部１９により判定することにより、操作者の興奮度の検出を可能とするものである。【００３２】  次に、この発明に係わる興奮度評価方法及び興奮度評価装置の第二の実施例について図３を参照して説明する。【００３３】  第二の実施例における興奮度評価装置の構成は、図１と同様である。図３は、本発明に係わる第二の実施例における評価部８の機能構成図である。評価部８は、ＡＤ変換機１１と、記憶部１３と、一次微分演算部１４と、記憶部１５と、二次微分演算部１６と、比較器１７と、基準信号発生器１８と、興奮度判定部１９とから構成される。【００３４】  ＡＤ変換部１１は、増幅器７から送出される電位差信号をデジタル信号に変換する。記憶部１３は、ＡＤ変換部１１により変換されたデジタル信号を記憶する。一次微分演算部１４は、記憶部１３で記憶された発汗量のデジタルデータを用いて、所定時間における発汗量の変化をその所定時間で除して発汗量の一次微分値を順次算出し、記憶部１５へ送出する。二次微分演算部１６は、記憶部１５で記憶された一次微分値のデータを用いて、所定時間における一次微分値の変化をその所定時間で除した発汗量の二次微分値を順次算出する。興奮度判定部１９は、この発汗量の二次微分値と基準信号発生器１８から送出される操作者の興奮度判定指標とを比較器１７で照合し、操作者の興奮度を判定し、評価する。【００３５】  以上のように、第二の実施例における興奮度評価装置は、検知用カプセル２で採取された水分量を高分子湿度センサ１ａ、１ｂにより計測し、評価部８の興奮度判定部１９により判定することにより、操作者の興奮度の検出を可能とするものである。【００３６】  次に、この発明に係わる興奮度評価方法及び興奮度評価装置の第三の実施例について図４を参照して説明する。【００３７】  図４は、第三の実施例における興奮度評価装置の概略構成を示す図である。この第三の実施例における興奮度評価装置は、２個の高分子湿度センサ２２ａ、２２ｂと２個の温度計２４ａ、２４ｂとを備え、興奮度を評価する部位の皮膚に密着させて皮膚からの発汗を検知する円形の骨組み筐体２１と、２個の水分量較正部２６ａ、２６ｂと、発汗量較正部２８と、評価部８とから構成されている。【００３８】  骨組み筐体２１は、円筒底面と円筒上面の２つの円形縁部と、円筒底面と円筒上面とを結ぶ複数の直線部とからなる骨組み構造となっており、円筒底面の円形縁部が発汗量を計測する部位の皮膚に密着する状態で取り付けられている。また、高分子湿度センサ２２ａと温度計２４ａとは��膚に近い側において皮膚からほぼ同じ距離になる様に骨組み筐体２１に取り付けられ、さらに、高分子湿度センサ２２ｂと温度計２４ｂとは皮膚から遠い側において皮膚からほぼ同じ距離になる様に骨組み筐体２１に取り付けられている。【００３９】  操作者の興奮度による発汗２５に含まれる水分は、骨組み筐体２１の円筒底面の円形縁部から骨組み筐体２１の内部に取り込まれる。この骨組み筐体２１に取り込まれた水分を含む空気は、骨組み筐体２１の側面、即ち円筒の底面と上面とを結ぶ複数の直線部からから一部流失するため、骨組み筐体２１の円筒上面に至るまでに減少する。このとき、骨組み筐体２１内部での空気に含まれる水分量は、水分を含む空気が骨組み筐体２１の側面から一部流失するため、皮膚からの距離に従ってほぼ直線的に減少する。そのため、骨組み筐体２１内で、皮膚からの距離が違う２点での空気に含まれる水分量を計測することにより、皮膚からの水分である発汗量が計測できることになる。【００４０】  水分量較正部２６ａは、高分子湿度センサ２２ａと温度計２４ａとからの計測データにより皮膚に近い側での水分量を測定し、水分量較正部２６ｂは、高分子湿度センサ２２ｂと温度計２４ｂとからの計測データにより皮膚から遠い側での水分量を測定する。発汗量較正部２８は、水分量較正部２６ａ及び２６ｂにより測定された水分量と、皮膚から高分子湿度センサ２２ａ及び２２ｂまでの距離とにより、皮膚からの発汗量を測定する。測定された発汗量は評価部８へ出力される。この評価部８は、先に詳細に説明した第一の実施例及び第二の実施例における評価部８を使用している。【００４１】  以上のように、第三の実施例における興奮度評価装置は、検知用カプセル２で採取された水分量を高分子湿度センサ１ａ、１ｂにより計測し、評価部８により判定することにより、操作者の興奮度の検出を可能とするものである。【００４２】  上述の評価部８を具備する興奮度評価方法及び興奮度評価装置の興奮度判定機能を確認するために以下の評価を行った。まず、Ｗｉｎｄｏｗｓ９８（Ｗｉｎｄｏｗｓは米国Ｍｉｃｒｏｓｏｆｔ  Ｃｏｒｐｏｒａｔｉｏｎの登録商標）の環境で動作するパソコンに操作レバーを接続し評価装置を構成した。パソコンには、市販のフライトシミュレータがインストールされている。フライトシミュレータの操作ができる操作者に対し、左の手掌の中央部から人指し指と中指の付け根方向にずれた部位、左手背、前胸部及び額の各部位に本実施形態になる評価装置の検知用の骨組み筐体２１を密着させ、発汗量の時間変動を計測した。【００４３】  フライトシミュレータで使用されるシナリオは、操作者がジャンボジェットのパイロットとなり、東京羽田空港から南方向に向かって離陸して高度を上げ、その後、自由に操縦を行って前もって操作者が設定したいくつかの危険を伴うスリリングな飛行を行うというものである。【００４４】  ここで、スリリングな飛行は、現実的な特定な飛行場での離着陸、あるいは非現実的な飛行であり、具体的には以下の飛行が想定されている。
▲１▼対象物（横浜ランドマークタワー）をかすめて飛行する。
▲２▼橋（レインボーブリッジ）の下を飛行する。【００４５】  操作者の各部位からの発汗量は個人差があるものの、スリリングな飛行に同期し増加するという傾向が明らかになった。図５は、横浜ランドマークタワーをかすめ（▲１▼）、レインボーブリッジの下を飛行する（▲２▼）というスリリングな飛行を行った場合の、操作者の皮膚からの発汗量の時間変動の計測結果である。この図は、左の手掌の中央部から人指し指と中指の付け根方向にずれた部位の他に、左手背、前胸部及び額の各部位における発汗量の時間変動を示している。尚、図５の横軸は時間（秒）、縦軸は発汗量（ｍｌ／分）である。【００４６】  図５から、機体がスリリングな飛行▲１▼及び▲２▼に差し掛かると左の手掌からの発汗量が増加していることがわかる。しかし、左の手背からの発汗量も、機体がスリリングな飛行▲１▼及び▲２▼に差し掛かると、手掌に比べ若干量は少ないが同様に発汗量が増加している。また、額はスリリングな飛行▲１▼及び▲２▼に関係なく大量の発汗量であった。そのため、単に発汗量の計測のみでは、操作者の興奮度の判定は必ずしも正確には行えないことは明らかである。【００４７】  そのため、図２に示す本発明の第一の実施例における評価部８を用いることにより、操作者の興奮度を正確に判断し評価できることを以下に示す。【００４８】  一次微分演算部１４では、記憶部１３で記憶された発汗量データを用いて、所定時間（約１秒）における発汗量の変化をその所定時間で除して発汗量の一次微分値が順次算出される。【００４９】  なお、図６に左手背における発汗量の一次微分値を、図７に左の手掌の中央部から人指し指と中指の付け根方向にずれた部位における発汗量の一次微分値を、図８に額における発汗量の一次微分値を、図９に前胸部における発汗量の一次微分値をそれぞれ示す。この結果、機体がスリリングな飛行▲１▼及び▲２▼に差し掛かると、左の手掌における発汗量の一次微分値が増加していることが分かる。また、機体が飛行▲２▼に差し掛かると額及び前胸部においても一次微分値の増加が見られる。【００５０】  そのため、例えば基準信号発生器１８から送出される操作者の興奮度判定閾値として、発汗量の一次微分値を０．０２以上又は−０．０２以下とすると左の手掌、額、前胸部における一次微分値により操作者の興奮を特定できることができる。このように、本発明によれば、発汗量が時間と供に変化する額のような部位でも、正確に操作者の興奮度を検出し判定することが可能である。【００５１】  次に、図３に示す本発明の第二の実施例における評価部８を用いることにより、操作者の興奮度を正確に判断し評価できることを以下に示す。【００５２】  図６乃至図９での手背、手掌、額、前胸部各部位の発汗量の一次微分値を用いて、二次微分演算部１６で発汗量の二次微分値が算出される。図１０に左の手背における発汗量の二次微分値を、図１１に左の手掌の中央部から人指し指と中指の付け根方向にずれた部位における発汗量の二次微分値を、図１２に額における発汗量の二次微分値を、図１３に前胸部における発汗量の二次微分値をそれぞれ示す。この結果、機体がスリリングな飛行▲１▼及び▲２▼に差し掛かると、手掌における発��量の二次微分値が、一次微分値の場合と同様に、増加していることが分かる。【００５３】  そのため、例えば基準信号発生器１８から送出される操作者の興奮度判定指標として、発汗量の二次微分値を０．０２５以上又は−０．０２５以下とすると手掌における二次微分値により操作者の興奮を正確に特定できることができる。【００５４】  本発明は、上述した実施例の手順に限定されることなく、この発明の要旨を逸脱しない範囲で、種々の変形が可能であることは言うまでない。【００５５】  例えば、本実施形態では、発汗量の一次微分値、二次微分値から操作者の興奮度を判定する例について示したが、ｎを自然数としたときに、所定時間における（ｎ−１）次微分値の変化をその所定時間で除した発汗量のｎ次微分値からも、操作者の興奮度を判断することが可能なことは言うまでもない。【００５６】  また、本実施形態では、水分量の計測に高分子湿度センサを用いると説明したが、本発明はこれに限定されるものではなく、セラミック湿度センサ、電解質湿度センサ、熱伝導式湿度センサなど他の種類の湿度センサも適用可能なことは言うまでもない。【００５７】  また、本実施形態では、興奮度を判定する興奮度判定部までの機能について説明しているが、この判定結果をさらに記憶し、表示し、印刷する等のその他の機能につては言及されていないが、これらの機能も本実施例に含まれることは言うまもない。
【産業上の利用可能性】
【００５８】  本実施形態においては、フライトシミュレータを使用する操作者の興奮度を評価する場合について説明したが、フライトシミュレータに限らずゲーム装置やマルチメヂア機器等に適用することも可能である。例えば携帯電話、携帯端末等のマルチメディア機器に適用する場合、冷静さを失って会話をしていることを判断した時に、「落ち着いて」、「リラックス」等のメッセージを出力するような構成にすれば、マルチメディア機器を冷静な秘書として活用することも可能である。
【図面の簡単な説明】
【００５９】
【図１】  本発明に係わる第一の実施例の興奮度評価装置の概略構成図である。
【図２】  第一の実施例における評価部８の機能構成図である。
【図３】  本発明に係わる第二の実施例における評価部８の機能構成図である。
【図４】  本発明に係わる第三の実施例における興奮度評価装置の概略構成図である。
【図５】  操作者の発汗量の時間変動の実験結果を示す図である。
【図６】  本発明に係わる興奮度評価方法及び興奮度評価装置により取得した、手背での発汗量の一次微分値の実験結果を示す図である。
【図７】  手掌での発汗量の一次微分値の実験結果を示す図である。
【図８】  額での発汗量の一次微分値の実験結果を示す図である。
【図９】  前胸部での発汗量の一次微分値の実験結果を示す図である。
【図１０】  本発明に係わる興奮度評価方法及び興奮度評価装置により取得した、手背での発汗量の二次微分値の実験結果を示す図である。
【図１１】  手掌での発汗量の二次微分値の実験結果を示す図である。
【図１２】  額での発汗量の二次微分値の実験結果を示す図である。
【図１３】  前胸部での発汗量の二次微分値の実験結果を示す図である。
【符号の説明】
【００６０】１ａ  高分子湿度センサ（エア供給管側）
１ｂ  高分子湿度センサ（エア排出管側）
２  検知用カプセル
３  エア供給管
４  エア排出管
５  エア供給ポンプ
６  エア吸引ポンプ
７  増幅器
８  評価部
１１  ＡＤ変換部
１３  記憶部
１４  一次微分演算部
１５  記憶部
１６  二次部分演算部
１７  比較器
１８  基準信号発生部
１９  興奮度判定部
２１  骨組み筐体
２２ａ  高分子湿度センサ
２２ｂ  高分子湿度センサ
２４ａ  温度計
２４ｂ  温度計
２５  発汗
２６ａ  水分量較正部
２６ｂ  水分量較正部
２８  発汗量較正部
【図１】
2005177406.tif 000003
【図２】
2005177406.tif 000004
【図３】
2005177406.tif 000005
【図４】
2005177406.tif 000006
【図５】
2005177406.tif 000007
【図６】
2005177406.tif 000008
【図７】
2005177406.tif 000009
【図８】
2005177406.tif 000010
【図９】
2005177406.tif 000011
【図１０】
2005177406.tif 000012
【図１１】
2005177406.tif 000013
【図１２】
2005177406.tif 000014
【図１３】
2005177406.tif 000015